(57)【特許請求の範囲】
【請求項１】
固定層と称する、磁化の向きが固定された第１の磁性体層（１２、６２）と、
自由層と称する、磁化の向きを変更することができる第２の磁性体層（１６、６６）と、
固定層（１２、６２）と自由層（１６、６６）とを分離する絶縁又は半絶縁層（１４、６４）と、
前記層の内部に、層の面と直交方向に電子流を流す手段（２４、７４、２６、７６）と、
電子のスピンを極性化する手段とを具備する電磁装置であって、
電子のスピンを極性化する手段は、自由層（１６、６６）の磁化平面と直交する向きに磁化されており、非磁性体導電層（１８、６４）によって自由層（１６、６６）から分離された少なくとも１つの磁気極性化層（２０、７０）を具備することを特徴とする電磁装置。
【請求項２】
前記磁気極性化層（２０）の磁化の向きは層（１２、１４、１６、２０）の面と直交し、固定層（１２）と自由層（１６）の磁化の向きは当該層の面内方向であり、自由層（１６）の磁化に作用する電子のスピンは当該自由層（１６）の面とは直交方向に極性化され、自由層の磁化は前記自由層（１６）の面内で回転する請求項１に記載の装置。
【請求項３】
前記固定層（１２）の磁化は当該固定層の面内方向を向いている請求項２に記載の装置。
【請求項４】
前記磁気極性化層は積層構造（２０）を有する請求項２に記載の装置。
【請求項５】
前記磁気極性化層は、Ｆｅ、Ｐｔ、Ｐｄ、Ｃｏ、Ａｕ又はこれらの合金からなる群から選択された材料を交互に積層した構造である請求項４に記載の装置。
【請求項６】
前記磁気極性化層（７０）の磁化の方向は当該層の面と平行であり、固定層（６２）と自由層（６６）の磁化は当該層の面と直交する方向を向いており、自由層（６６）に作用する電子のスピンは自由層の面と平行に極性化されており、自由層の磁化は自由層（６６）の面と直交する面内で回転する請求項１に記載の装置。
【請求項７】
前記自由層（６６）は自由層の面と直交する面内において磁気的異方性を有する請求項６に記載の装置。
【請求項８】
前記固定層（６２）は当該固定層の面と直交する方向に磁化されている請求項６に記載の装置。
【請求項９】
前記磁気極性化層（７０）はＦｅ、Ｎｉ、Ｃｏあるいはこれらの合金から構成される群から選択された材料からなる請求項６に記載の装置。
【請求項１０】
前記自由層（６６）は、導電性非磁性体層（６６２、６６４、６６６）で分離された複数の磁性体層（６６１、６６３、６６５、６６７）からなる請求項６に記載の装置。
【請求項１１】
行と列についてアドレス可能な記憶セルのマトリックスからなる記憶装置であって、各記憶セルは請求項１乃至１０のいずれかに記載された電磁装置（６０）から構成され、電磁装置（６０）に直列接続された電流切替え装置（７０）を具備し、各電磁装置（６０）は１つのアドレッシング行（８０）に接続され、各切替え装置（７０）は１つのアドレッシング列（９０）に接続されていることを特徴とする記憶装置。
【請求項１２】
さらに、リファレンス列（１００）を具備し、行（８０)と列（９０)が交差する位置にある前記電磁装置の接点において読み出された電圧と、同じ行（８０）とリファレンス列（１００）の交差位置にある電磁装置の端子において読み出された電圧とを比較する手段を具備する請求項１１に記載の記憶装置。
【請求項１３】
前記請求項１乃至１０のいずれかの電磁装置を用いたデータ書き込み方法であって、
−装置内を、層の面と直交する方向に電流を流し、前記極性化手段は電子を自由層の磁化の面と直交する方向に極性化し、該磁化の向きを当該面内で回転させるステップと、
−固定層の磁化の向きと同じ向き又は反対向きに自由層の磁化の向きを逆転させたときに電流を遮断するステップとを有することを特徴とする方法。
【発明の詳細な説明】
【０００１】
【発明が属する技術分野】
本発明は、磁気スピン極性化および磁化方向回転装置に関し、さらに当該装置を利用した記憶素子と書き込み方法に関する。
本発明にかかる装置は、電子工学の分野、特に記憶セルおよびＭＲＡＭ（磁気ランダムアクセスメモリ）形式の記憶素子又はダイレクトアクセス磁気記憶素子に適用することができる。
【０００２】
【従来の技術】
常温で高い耐磁性を有する磁気トンネル接合（ＭＴＪ）の開発に伴ない、ＭＲＡＭ型の磁気記憶素子の利用が増加している。添付の図１Ａと１Ｂは、この種のＭＴＪ接合の構造と機能の概念を示すものである。
【０００３】
接合構造を符号２で示す。接合構造は、２つの磁性体層と、その間に挟まれた酸化物層からなる。この構造は、各層の面に対して直交する方向に電流が流れ、さらにスピンバルブのような作用を有する。磁性体層の内の一方は、外部磁界によって磁界の向きを変えることができるので、「自由」であると称し（２つの方向をむいた矢印で示す）。他方の磁性体層は、磁界の向きが反強磁性交換層によって固定されているので、「固定」されている（一方をむいた矢印で示す）と称する。磁性体層の磁界が反対方向を向いている時は、接合部の抵抗が大きく、磁界の向きが平行である時は抵抗が小さい。材料を適切に選択すれば、上述の２つの状態間の抵抗値の変化が、４０％程度に達するようにすることができる。
【０００４】
接合構造（２）は、切り替えトランジスタ（４）と電流供給ライン（６）の間に位置する。電流供給ラインを流れる電流は磁界（７）を発生させる。電流供給ライン（６）と直交する導体（８）（この場合には図面の紙面に対して直交方向を向いている）は、（紙面の向きと平行な）第２の磁界（９）を発生させる。
【０００５】
「書き込み」モード（図１Ａ）では、トランジスタ（４）はブロックされている。電流は電流供給ライン（６）と導体（８）を流れる。接合構造（２）は従って２つの直交する磁界にさらされることになる。一方は、逆向きの磁界を低減するための、自由層の磁化困難軸方向の磁界であり、他方は、磁化の向きを逆転させて記憶セルに書き込みを行うために磁化容易軸の向きに加えられる磁界である。それぞれの磁界の強さは単独では磁化の向きを逆転させるには不十分なので、基本的に、ライン（６）と（８）の交差部分に位置する記憶セルの磁化のみが逆転する。
【０００６】
「読み出し」モード（図１Ｂ）では、トランジスタは、そのベース内を正方向の電流のパルスが流れる飽和状態（つまり、最大電流がトランジスタ内を流れる）に維持される。ライン（６）を流れる電流は、トランジスタが開放状態となっている記憶セルのみを流れる。この電流によって接合構造の抵抗を測定することができる。リファレンス記憶セルと比較することによって、記憶セルの状態（「０」又は「１」）を決定することができる。
【０００７】
【発明が解決しようとする課題】
このような書き込みメカニズムは、接合構造のネットワークでは以下のような課題を有する。
【０００８】
１）外部磁界の影響によって自由層の磁化の向きが逆転するが、当該逆向きの磁界は統計的に分布しているので、アドレスライン６に添って発生した磁界の影響によって隣接する接合構造の磁化の向きが偶然に逆転する場合がある。密度の高い記憶素子の場合には、記憶セルの大きさは明らかにミクロンオーダーよりも小さく、アドレスエラーの数が増加する。
【０００９】
２）記憶セルの大きさを小さくすると個々の逆転した磁化の向きによる磁界の強さが増大する。従って、記憶セルに書き込みを行うために必要な電流が増大し、電力小比を増大させる。
【００１０】
３）書き込みには９０度の角度を有する２つの電流ラインが必要で、このラインのために使用できる部分の密度が制限される。
【００１１】
４）アドレスエラーの危険性を最小限に抑えることが必要であるとの条件においては、使用される書き込みモードでは、同時に１つの記憶セルに対する書き込みのみが可能である。
【００１２】
最近になって、磁化の逆転を外部の磁界ではなく層の平面と直角方向に形成された積層構造内を流れる電子によって行う、別の種類の磁気装置が現れた。この種の装置は、米国特許第５６９５８６４号に記載されている。そこで採用されているメカニズムは、電子間の磁気モーメントの転写と、自由層の磁化に基づくものである。この種のシステムでは、電力消費を低減するために、積層構造はすべて導電性の層から構成される。この構造は以下に記載する課題を有する。
【００１３】
ａ）装置の電気抵抗が非常に小さいために、端子に供給すべき電流が、従来のシステムに比較して非常に大きい。
【００１４】
ｂ）大電流を確保するためには寸法の大きなトランジスタが必要であり、そのために、記憶素子の記憶密度が制限される。
【００１５】
ｃ）電気抵抗変化の幅が非常に小さく（２〜３％）、そのために出力電圧が制限される。
【００１６】
ｄ）ＭＲＡＭへの適用に関連して、前記特許は、３つの導体レベルと２つの電源について言及している。中央の導体は自由層の磁化反転のために使用される極性を有する電流を集めるために使用される。従って、装置が複雑である。
【００１７】
従って、本発明はこれらの課題を克服することを目的とする。
【００１８】
【課題を解決するための手段】
上記の目的を達成するために、本発明は、電子のスピンの極性化方向を積層構造の共通磁化平面、つまり自由層の磁化方向と直交する方向にするための手段を使用することを提案する。この磁化は、従って、スピンの極性化方向の周りに回転し、装置に異なる磁気的状態を与える。
【００１９】
より正確にいえば、本発明は、
・「固定」層と称する、磁化の向きが固定された第１の磁性体層と、
・「自由」層と称する、磁化の向きを変更することができる第２の磁性体層と、
・固定層と自由層とを隔離する絶縁層と、
・前記層内に、層と直交方向の電子流を流す手段と、
・電子のほとんどについてスピンを極性化する手段とを具備する電磁装置であって、
該電子のほとんどについてスピンを極性化する手段は、磁化の方向が自由層の磁化の面と直交する少なくとも１つの磁性層を有し、この極性化磁性層は非磁性体導電層によって自由層から分離していることを特徴とする。
【００２０】
１つの設計例では、磁気的極性化層は磁化の向きが層の平面方向と直交し、固定層と自由総の磁化の方向は前記層の平面内方向で、自由層の磁化に作用する電子のスピンは自由層の平面と直交方向に極性化されて、自由層の磁化は自由層の面内で回転する。
【００２１】
他の設計例では、磁気的極性化層は、磁化の向きが層の平面と平行で、固定および自由層の磁化は前記層の面と直交する向きであり、自由層の磁化に作用する電子のスピンは当該層と平行な向きに極性化されており、磁化の向きは当該自由層とは直交する平面内で回転する。
【００２２】
本発明は、又、アドレッシングのための行と列によってアドレス可能な記憶セルのマトリックスから構成される記憶装置に関し、各記憶セルが上述の磁気的装置からなり、当該磁気装置と直列接続された電流切り替え手段を有し、各磁気装置はアドレッシングのための行に接続され、各切替え装置はアドレッシングのための列と接続されることを特徴とする。
【００２３】
本発明は、さらに、上述の装置にデータを書き込むための方法に関し、当該方法は以下の特徴を有する。
−電子の流れを当該装置を層の方向とは直交する方向に流し、前記極性化手段は電子を自由層の磁化の面と直交する方向に極性化し、当該磁化の向きはこの面内で回転し、
−前記電流は、自由層の磁化が固定層の磁化の向きと平行又は逆向きの時は遮断される。
【００２４】
【発明の実施の形態】
トンネル接合装置内を動く電子のスピン極性化現象の原理を以下に概説する。導電体内を流れる電流を構成する電子のスピンは、特別な理由が無ければ特定の方向を向いていない。この電流が特定の方向に磁化された磁性体層を流れると、電子のスピン方向は磁性モーメント交換現象によって方向付けられ、当該磁性体層から出てくる電子は特定方向に極性化されたスピンを有する。したがって、この種の層（あるいは複数の層）は「極性化装置」を構成する。この現象は、電流の向きに従って、（層内の）転写と（層からの）反射の両方について生じる。この現象は、さらに、特定方向のスピンを有する電子を特定の方向に通すことによって逆方向にも作用させることができる。この場合の層の機能は、分析装置である。
【００２５】
【実施例】
本発明に基づく第１の設計例は、絶縁層の両側にそれぞれ磁性体層を設けてトンネル接合機能を利用するものである。一方の磁性体層は、反強磁性層との交換カップリングによって磁化の方向が固定されている。つまり、この層が固定層である。第２の層は自由に磁化することができる。しかし、磁化の向きは層内の磁化解放磁場の影響のために層の面内においてのみ回転することができる。当該装置にはさらに直交する磁化システムからなる極性化装置が含まれる。
【００２６】
書き込みを行うためには、接合構造内に、自由層の磁化の反転を生じさせない大きさの電流を流す。すなわち、本願発明の装置では、書き込みの際、前記米国特許に記載された装置と異なり、自由層の磁化を反転を生じさせるほどの大きい電流を流すことを必要としない。極性化装置によって反射又は転写された電子は、層の平面と直交する方向のスピンを有するように極性化される。このように極性化されたスピンを有する電子は、該自由層の面内において自由層の磁化を連続的に回転させる。自由層が磁気的に等方性を有していれば、層と平行な軸方向の磁化成分は時間と共に正弦波的に変化する。しかし、自由層は等方性を有しておらず磁気的一軸異方性を有するので、（２つの方向について）磁化容易軸を示す（可能性がある）。このような異方性を有する層の場合、磁化成分の変化の様子は変形し、磁化容易軸に対応して継続時間の等しい２つの領域を生じる。固定層によって生じた電子のスピンの極性化は自由層の２つの磁化方向の内の一方を、電流の向きに応じて助長する。このようにして一方の領域の継続時間が増大することによって、パルス電流によって書き込みを行う際のエラーの発生が抑制される。継続時間が一定で短いパルス電流を使用して一方のランドを選択して自由層に、絶縁層に隣接する固定層の磁化方向に対して平行又は逆向きの磁化を与えることが可能になる。
【００２７】
上記第１の設計例を図２に示す。図に示した装置は、反強磁性層（１０）、２つの非磁性導電体層によって分離された、逆方向の平面磁化を有する２つの磁性体層（１２１，１２３）から構成される３層積層構造（１２）を具備する。この積層構造は固定層を構成する。当該装置はさらに、絶縁層（１４）と自由磁化層（１６）を有する。アッセンブリ（１２）、（１４）、（１６）は磁気トンネル接合構造（１５）を構成する。
【００２８】
前記装置は、金属の分離層（１８）と層の面と直交する方向に磁化された磁性極性化層（２０）を有する。当該磁性極性化層（２０）は、例えば、Ｆｅ／Ｒｔ、Ｆｅ／Ｐｄ、Ｃｏ／Ｐｔ、Ｃｏ／Ｐｄ、Ｃｏ／Ａｕ等、あるいはこれらの直接の合金からなる積層構造であってもよい。極性化層は導電性の基板（２２）に搭載されている。積層構造アッセンブリは、電流供給ライン（２４）とこの場合はトランジスタ（２６）である電流切替え装置との間に挿入されている。
【００２９】
層（２０）を通して流れるか、または層によって反射される電子は、当該層の磁化の方向と平行な方向、つまり接合構造（１５)の種々の層、特に自由層（１６）の面と直交する向きにスピンが方向付けられる。極性化された電子の流れを受ける当該層の磁化は層の面内で回転するが、当該層に印加されている磁化解放磁場の影響のためにスピン方向と磁化方向がそろうことはない。図３Ａと３Ｂは、この回転を模式的に示したものである。方向を示すために、Ｏｚ軸が層の面と直交する方向を示す、直交３軸座標Ｏｘｙｚを用いた。
【００３０】
電流が正の向きで（図３Ａ）、電流密度が臨界値よりも小さければ、層（１２３）によって生じた極性化は層（１６）の磁化を反転させることができないが、（−ｙ）方向の磁化を助長する。上述の磁化の回転によって、（−ｙ）のランドの継続時間が大きくなり（＋ｙ）のランドの継続時間が小さくなる変化がステップの継続時間に現れた。図４Ａでは、この現象がランドの継続時間ｔ１とｔ２に現れている。継続時間を注意深く設定したパルス電流を接合構造に通すことによって、２値エレメント「０」を書き込むことができる。電流の方向を逆転すると（図３Ｂ）、助長される磁化の方向は反転し、ランドの継続時間の長短関係も逆転し（図４Ｂ）、ｔ１＜ｔ２となる。このことは「１」の書き込みに相当する。このことによって、Ｍｙ＞０（図の場合には逆方向）、あるいはＭｙ＜０（平行）になる。
【００３１】
上記の装置の利点は、面内の回転が、従来技術で使用されている、非常に多数のプリセッション振動を必要とする磁化の反転に比較して遥かに高速であることに起因して、電流密度が小さいことと、書き込み速度が速いことである。
【００３２】
読み出しのためには、パルス電流の継続時間、および／または密度を、書き込みパルスよりも小さくして、上書きせずに装置の磁化特性を読み出す。
【００３３】
第２の設計例では、装置は２つの直交方向に磁化されたシステムに挟まれた酸化物のバリアによって構成されるトンネル接合構造を具備する。磁化が直交するシステムの内の１つは反強磁性層と交換相互作用を行うことによって磁化の方向を固定する。当該装置は、（書き込み時の）極性化装置と（読み出しと書き込み時の）分析装置からなる２つの機能を有する。第２の直交する磁化を有するシステムは、磁化の方向を極性化されたスピンの方向に自由に変えることができる。当該装置はさらに、厚い磁性体層又は２つの磁性体層の厚さが異なる３層構造からなる平面状の磁化極性化装置を有する。平面状の磁化極性化装置を有することによって、層の面内に静的磁気カップリング磁界を生じさせて、当該磁界は直交方向の異方性を低減して臨界電流密度を低下させることができる。平面状の極性化装置は、自由層の磁化を極性化装置の磁化の方向と直交する面内で連続的に回転させる。直交する方向の極性化装置は、静的な磁化状態を励起するために２値情報（「０」または「１」）を書き込むことができる。書き込みモードでは、制御された継続時間を有するパルス上の電流が接合構造を流れて自由層の磁化の向きを反転させる。上記２つの極性化装置によって、書き込み電流を低減して書き込み時間を顕著に短縮することができる。読み出しモードでは、接合構造を流れるパルス電流の継続時間は、書き込みモードに比較して短い。
【００３４】
この第２の設計例を図５に示す。図に示した設計例は、反強磁性層（６０）、磁性体層と非磁性体層とを交互に積層した積層構造（６２）、絶縁層（６４）、及び磁性体層と非磁性体層とを交互に積層した積層構造（６６）を有する。積層構造（６２）は、層の面の向きと直交する方向に磁化された固定層からなる。絶縁層（６４）によって分離された積層構造（６２）と（６６）は磁気トンネル接合（６５）を構成する。当該装置は、導電性非磁性層（６８）と導体基板（７２）に搭載された磁性極性化層（７０）を有する。この積層構造は、電流供給ライン（７４）と、この例の場合はトランジスタ（７６）である電流切替え装置の間に位置する。
【００３５】
図６Ａと６Ｂは「０」と「１」の書き込みメカニズムと自由層での磁化の回転、より具体的には自由層を構成するサブレイヤ（６６１）、（６６３）、（６６５）と（６６７）での磁化の回転について示したものである。図６Ａに示すように、電流は上部から底部に向かって流れ、図６Ｂでは電流は底部から上部に向かって流れる。
【００３６】
図７Ａと７ＢはＯｚ軸に沿った磁化の成分Ｍｚの変化を示す。図７Ａでは、磁化の向きがそろった状態が最も継続時間の長いランドに相当し、図７Ｂでは、このランドは逆向きの磁化に相当する。
【００３７】
平面磁化層（７０）の役割は以下のとおりである。
１）層の面の向きに電子を極性化すること、
２）層（６６）の面において静的磁気カップリングを発生させて、層の有効な異方性を低減し、層（６６）の磁化の向きを、層（７０）に蓄積された電子または伝達された電子の極性化軸の周りに容易に回転させること。
【００３８】
層（７０）に使用する材料は、遷移金属（Ｆｅ、ＮｉまたはＣｏ）、又は、遷移金属の合金の厚い層であるのがよい。磁化の方向を変化させるために必要な電流密度は書き込みや読み出しに使用する電流密度よりもはるかに大きいので、これらの材料の磁化の方向は電流の存在によっては変化しない。当該層の厚さは層（６６）との静的磁気カップリングの強度を制御し、電子の極性化を最適化するように設定する必要がある。さらに、この厚みが大きければ交換層を使用しなくても、（強制磁界によって）磁化方向を固定することができる。
【００３９】
書き込みのプロセスは、第１の設計例に関して既に説明した原理に基づき、自由層の１軸磁気異方性を利用する。「０」を書き込むためには、正の方向の電流がシステムを流れる（例えば、図６Ａ）。層（７０）上に蓄積された電子が、層（６６）の磁化の回転を生じさせる。成分Ｍｚは異方性が無ければ完全に正弦派的な特性を有する。自由層の１軸磁気異方性のために、磁化成分の変化は２つの容易磁化方向に対応して２つの同等なランドを示す。固定された層（６２）によって誘導された電子スピンの極性化は（＋ｚ）方向の磁化を助長し、Ｍｚ＞０に対応するランドが延長され、「０」に相当する磁気状態を生起させる。書き込みパルスの継続時間を適切に設定することによって、「０」の状態を選択することができる。状態の観測は、接合構造の端子の位置で電圧を測定してこれをリファレンスセルのものと比較することによって行うことができる。
【００４０】
「１」を書き込むためには、プロセスは同じであるが、システムに負の方向の電流を流す（図６Ｂ）。Ｍｚ＞０ではなく、Ｍｚ＜０の状態が助長される。装置の磁気定期状態の読み出しは、継続時間がランドの継続時間よりも短い電流密度の低いパルス電流を使用して行うことができる。
【００４１】
上述の２つの設計例を以下の表にまとめて示す。当該表に置いては、
ｔ：磁化の向きを反転させる磁性体層の厚さ、
Ｍｓ：磁化の向きを反転させるべき層が磁気的飽和状態である時の磁化の強さで、ＣｏＦｅの場合には、Ｍｓ＝１５００ｅｍｕ／ｃｃである、
Ｈｋ：磁化方向を反転させるべき磁性体層の異方性の程度、
Ｊｃ（書き込み）：記憶セルに書き込みを行うための電流密度、
ＲＡｍａｘ：トンネル接合構造の表面積と電気抵抗との積で、書き込み電圧が０．６Ｖを超えないように定義されたもの、
Ｊｃ（読み出し）：ＲＡｍａｘで読み出し電圧が０．３Ｖである時の、読み出し電流密度、
ａｍｉｎ：超常磁性体限界に到達する前の（正方契機億セルに対する）記憶セルの一方の側面の最小限の大きさである。
【００４２】
ａｍｉｎの大きさは、ａｍｉｎ＝（８４ｋＢＴ／ＭｓＨｋｔ）１／２によって計算することができる。ここで、８４の値は、摂氏１００°に置ける１００年間のサービスを前提に算出したものである。
【００４３】
設計例                                １            ２
ｔ（ｎｍ）                              ５            ２
Ｍｓ（ｅｍｕ／ｃｃ）              １５００      １５００
有効Ｈｋ（Ｇ）                        ４０        １００
Ｊｃ（書込）  （Ａ／ｃｍ２）      １．６ｘ１０５    １．６ｘ１０５
ＲＡｍａｘ（Ω・μｍ２）            ３７５        ３７５
Ｊｃ（読出）  （Ａ／ｃｍ２）      ８ｘ１０５      ８ｘ１０４
ａｍｉｎ（μｍ）                    ０．１２        ０．１２
【００４４】
上述の表から、本発明においては、妥当な積ＲＡ（＞１００Ω・μｍ２）を有する接合構造と整合する低い書き込み電流密度を実現することができることが分かる。このような積ＲＡはプラズマ酸化または普通の場所における自然酸化によって得ることができる。
【００４５】
最後に、図７に、行列によってアドレス可能なマトリックス上の記憶セルによって構成された記憶素子を示す。各記憶セルは、抵抗要素（６０）で代表される積層構造とトランジスタで構成されるスイッチ要素（７０）を有する本発明に基づく装置を具備する。各積層構造は、アドレッシングのための行（８０）に接続され、トランジスタのベース（又はゲート）はアドレッシングのための列（９０）を有する。行（８０）は「ビットライン」と呼ばれ、列は「ワード（又はデジット）ライン」と呼ばれる。行（８０）は行アドレッシング回路（８５）の出力段に接続され、列（９０）は列アドレッシング回路（９５）の出力段に接続される。
【００４６】
ビットシーケンス（例えば、１００１１０）の書き込みを行う時は、対応する列のトランジスタを開にするために適切なパルスによって列アドレスが呼び出されて、各ラインに所定の極性を有する電流のパルスを送り込む（図示した例では、順に＋− −＋＋−）。従って、記憶装置の当該列のすべてのビットに対する書き込みは同時に行われる。
【００４７】
この複数アドレッシングプロセスは、導入部で説明したように、本発明の場合には、隣接するセルに、意図に反して書き込みを行ってしまう危険無しに、記憶セルに書き込みを行なうことができるので可能になるものである。
【００４８】
列にすべての記憶を書き込むことも可能である。
【００４９】
記憶素子のどこか、例えば中央部に、リファレンス列（１００）を設けることによって読み出しを行うことができる。読み出し電流が列（９０）の記憶セルを流れるとき、記憶セルの読み出し電圧はそれぞれ同じ行のリファレンス列の記憶セルの読み出し電圧と比較される
【００５０】
このような列に対する書き込みと読み出しメカニズムによって、記憶素子のサイクル時間を顕著に低減することができる。
【発明の効果】
【図面の簡単な説明】
【図１】  図１Ａと１Ｂは、外部磁界を用いてトンネル効果磁気接合に２値データを読み書きするための従来装置である。
【図２】  本発明の第１の設計例に基づく装置の断面である。
【図３】  図３Ａと３Ｂは、前記第１の設計例において、「０」または「１」が書かれている状態に対応した磁界の向きを示すものである。
【図４】  図４Ａと４Ｂは、前述の２つの場合（「０」と「１」）について、磁化の、層の平面と平行なＯｙ軸成分の変化を示すものである。
【図５】  本発明の第２の設計例に基づく装置の断面である。
【図６】  図６Ａと６Ｂは、「０」または「１」が書かれている状態に対応した別の層の磁化の向きを示すものである。
【図７】  図７Ａと７Ｂは、前述の２つの場合（「０」と「１」）について、磁化の、層の平面と直交するＯｚ軸成分の変化を示すものである。
【図８】  本発明に基づく装置をマトリックス上に配置した記憶装置の概念を示すものである。
【図１】
0004492780.tif 000002
0004492780.tif 000003
【図２】
0004492780.tif 000004
【図３】
0004492780.tif 000005
【図４】
0004492780.tif 000006
【図５】
0004492780.tif 000007
【図６】
0004492780.tif 000008
【図７】
0004492780.tif 000009
【図８】
0004492780.tif 000010